(57)【特許請求の範囲】
【請求項１】
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、前記カラーは、前記第１側部から前記カラーの前記第１側部と前記カラーの前記第２側部の間のギャップまで伸びている穴を有しており、前記穴は、ボルトを受け入れるように構成されており、前記ボルトは、前記ボルト部が前記穴に侵入したときに、前記カラーの前記第２側部に係合して前記カラーを前記第１状態から前記第２状態に展開するように構成されており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きい可変長ゴルフクラブ。
【請求項２】
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きく、
前記カラーは、前記第１側部から前記カラーの前記第１側部と前記カラーの前記第２側部の間のギャップまで伸びている穴を有しており、
前記穴は、第１穴部とその第１穴部の直径よりも大きい直径を有する第２穴部を含み、これにより、前記第１穴部と前記第２穴部の間の前記穴に環状出っ張り部を規定しており、
前記穴は、前記第１穴部に受け入れられるように構成されている第１ボルト部と、前記第２穴部に受け入れられるように構成されている第２ボルト部と、を有するボルトを受け入れるように構成されており、
前記第２ボルト部は、前記第１ボルト部の直径よりも大きい直径を有しており、これにより、前記第１ボルト部と前記第２ボルト部の間の前記ボルトに環状ショルダ部を規定しており、
前記第１ボルト部は、前記第１ボルト部が前記第１穴部に侵入したときに、前記カラーの前記第２側部に係合して前記カラーを前記第１状態から前記第２状態に展開するように構成されており、
前記ボルトの前記環状ショルダ部が前記穴の前記環状出っ張り部に係合し、前記ボルトが前記穴内にさらに侵入することが停止され、
前記第１シャフトと前記第２シャフトは前記カラーの前記第１状態において摩擦でロックされ、前記第１シャフトと前記第２シャフトは前記カラーの前記第２状態において相対移動可能である可変長ゴルフクラブ。
【請求項３】
前記第２部分の前記外径は、前記第２シャフトの前記第１端部の前記中空部分の内径以上である請求項１又は２に記載の可変長ゴルフクラブ。
【請求項４】
前記第１部分は、前記第１シャフトの前記第２端部の中空部分に挿入されるように構成されており、
前記第１部分の外径は、前記第１シャフトの前記第２端部の前記中空部分の内径以下である請求項１〜３のいずれか一項に記載の可変長ゴルフクラブ。
【請求項５】
前記第１部分の外表面は、少なくとも１つの溝を有する請求項１〜４のいずれか一項に記載の可変長ゴルフクラブ。
【請求項６】
前記第１部分は、前記第１シャフトの前記第２端部に接着剤を用いて取り付けられている請求項１〜５のいずれか一項に記載の可変長ゴルフクラブ。
【請求項７】
前記第２部分は、前記第２シャフトの前記第１端部の前記中空部分内に締まり嵌めによって係合されている請求項１〜６のいずれか一項に記載の可変長ゴルフクラブ。
【請求項８】
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている請求項１〜７のいずれか一項に記載の可変長ゴルフクラブ。
【請求項９】
前記第１部分と前記第２部分は概ね同軸であり、これにより、前記第２シャフトに対して前記第１シャフトが概ね同軸に維持される請求項１〜８のいずれか一項に記載の可変長ゴルフクラブ。
【請求項１０】
前記第２部分は、前記第２部分の圧縮を提供するように構成されているスリットを有する請求項１〜９のいずれか一項に記載の可変長ゴルフクラブ。
【請求項１１】
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている請求項１〜１０のいずれか一項に記載の可変長ゴルフクラブ。
【請求項１２】
可変長ゴルフクラブの製造方法であって、
ヘッドとグリップの一方に結合する第１端部と、第２端部と、を有している第１シャフトを形成する工程と、
中空部分を含む第１端部と、前記ヘッドと前記グリップの他方に結合する第２端部と、を有している第２シャフトを形成する工程と、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーを形成する工程と、ここで、前記カラーは前記第１シャフトと前記第２シャフトが摩擦でロックされる第１状態と、前記第１シャフトと前記第２シャフトが相対移動可能な第２状態と、を有しており、前記カラーは、前記第１側部から前記カラーの前記第１側部と前記カラーの前記第２側部の間のギャップまで伸びている穴を有しており、前記穴は、ボルトを受け入れるように構成されており、前記ボルトは、前記ボルト部が前記穴に侵入したときに、前記カラーの前記第２側部に係合して前記カラーを前記第１状態から前記第２状態に展開するように構成されており、
前記第１シャフトの前記第２端部に連結するように構成されている第１部分を形成することと、前記第２シャフトの前記第１端部の前記中空部分に挿入されて前記第２シャフトと連結するように構成されている第２部分を形成することと、を有する連結装置を形成する工程と、を備えており、
前記第２部分の外径は、前記第１部分の外径よりも大きい製造方法。
【請求項１３】
前記第２部分を形成する工程は、前記第２部分の外径が前記第２シャフトの前記第１端部の前記中空部分の内径以上となるように形成することを有する請求項１２に記載の製造方法。
【請求項１４】
前記第１部分を形成する工程は、前記第１シャフトの前記第２端部の中空部分に挿入されるように構成されている前記第１部分を形成することと、前記第１部分の外径が前記第１シャフトの前記第２端部の前記中空部分の内径以下となるように形成することと、を有する請求項１２又は１３に記載の製造方法。
【請求項１５】
前記第１部分の外表面に少なくとも１つの溝を形成する工程をさらに備える請求項１２〜１４のいずれか一項に記載の製造方法。
【請求項１６】
前記第１部分を前記第１シャフトの前記第２端部に接着剤を用いて取り付ける工程をさらに備える請求項１２〜１５のいずれか一項に記載の製造方法。
【請求項１７】
前記第２部分を前記第２シャフトの前記第１端部の前記中空部分内に締まり嵌めによって係合させる工程をさらに備える請求項１２〜１６のいずれか一項に記載の製造方法。
【請求項１８】
前記第２部分を形成する工程は、前記第２部分の少なくとも一部が前記第２シャフトの前記第１端部の前記中空部分に挿入されて前記第２シャフトの前記第１端部の前記中空部分内に摩擦によって係合されるときに圧縮可能に構成されるように、前記第２部分を形成することを有する請求項１２〜１７のいずれか一項に記載の製造方法。
【請求項１９】
前記第１部分を形成する工程と前記第２部分を形成する工程は、前記第１部分と前記第２部分は概ね同軸であり、これにより、前記第２シャフトに対して前記第１シャフトが概ね同軸に維持されるように、前記第１部分と前記第２部分を形成することを有する請求項１２〜１８のいずれか一項に記載の製造方法。
【請求項２０】
前記第２部分を形成する工程は、前記第２部分にスリットを形成することを有しており、
前記スリットは、前記第２部分の圧縮を提供するように構成されている請求項１２〜１９のいずれか一項に記載の製造方法。
【請求項２１】
前記第２部分を形成する工程は、前記第２部分の外表面に少なくとも１つの突起を形成することを有しており、
前記第２シャフトは、前記第２シャフトの前記第１端部の前記中空部分の内面に凹部を有しており、
前記突起が前記凹部に係合するように構成されている請求項１２〜２０のいずれか一項に記載の製造方法。
【発明の詳細な説明】
【技術分野】
【０００１】
本明細書は、概してゴルフクラブに関し、より具体的には、可変長ゴルフクラブヘッドとその製造方法に関する。
【背景技術】
【０００２】
ゴルフクラブは、ゴルフクラブの種類、個人の体型及び／又は個人のプレースタイルに基づいて合わせられ得る。例えば、ある者は、標準パター、長尺パター又は中尺パターを用いてプレーすることを好む。個人の体型及びプレースタイルに応じて、個人にとって最善のパフォーマンスを提供するために、適切な長さのパターが決定され得る。さらに、適切な長さに固定されたパターを個人が選択し得る。
【発明の概要】
【発明が解決しようとする課題】
【０００３】
可変長ゴルフクラブとその製造方法が必要とされている。
【課題を解決するための手段】
【０００４】
可変長ゴルフクラブ用の連結装置の一実施形態は、第１部分と第２部分を備えている。第１部分は、第１シャフトに連結するように構成されている。第１シャフトは、ヘッドとグリップの一方に結合する第１端部、及び第２端部を有している。第１部分は、第１シャフトの第２端部に連結するように構成されている。第２部分は、第１部分に連結されるとともに、第２シャフトに連結されるように構成されている。第２シャフトは、中空部分を含む第１端部、及びヘッドとグリップの他方に結合する第２端部を有している。第２シャフトの第１端部の中空部分は、第１シャフトの第２端部を移動可能に受け入れるように構成されている。第２部分は、第２シャフトの第１端部の中空部分内に挿入されるように構成されている。第２部分の外径は、第１部分の外径よりも大きい。
【０００５】
可変長ゴルフクラブの一実施形態は、第１シャフト、第２シャフト、カラー、及び連結装置を備えている。第１シャフトは、ヘッドとグリップの一方に結合する第１端部、及び第２端部を有している。第２シャフトは、中空部分を含む第１端部、及びヘッドとグリップの他方に結合する第２端部を有している。第２シャフトの第１端部の中空部分は、第１シャフトの第２端部を移動可能に受け入れるように構成されている。カラーは、第２シャフトの中空部分に配置されており、第１側部と第２側部を有している。カラーは、第１シャフトと第２シャフトが摩擦でロックされる第１状態、及び第１シャフトと第２シャフトが相対移動可能な第２状態を有している。連結装置は、第１シャフトの第２端部に連結するように構成されている第１部分、及び第２シャフトの第１端部の中空部分に挿入されて第２シャフトと連結するように構成されている第２部分を有する。第２部分の外径は、第１部分の外径よりも大きい。
【０００６】
可変長ゴルフクラブ用の連結装置の製造方法の一実施形態は、第１シャフトに連結するように構成されている第１部分を形成する工程、及び第１部分に連結されるとともに、第２シャフトに連結されるように構成されている第２部分を形成する工程を備えている。第１シャフトは、ヘッドとグリップの一方に結合する第１端部、及び第２端部を有している。第１部分は、第１シャフトの第２端部に連結するように構成されている。第２シャフトは、中空部分を含む第１端部、及びヘッドとグリップの他方に結合する第２端部を有している。第２シャフトの第１端部の中空部分は、第１シャフトの第２端部を移動可能に受け入れるように構成されている。第２部分は、第２シャフトの第１端部の中空部分内に挿入されるように構成されている。第２部分の外径は、第１部分の外径よりも大きい。
【図面の簡単な説明】
【０００７】
【図１】可変長ゴルフクラブの一実施形態を示す。
【図２】図１のゴルフクラブの概略図を示す。
【図３】可変長ゴルフクラブの他の一実施形態を示す。
【図４】図３のゴルフクラブの概略図を示す。
【図５】可変長ゴルフクラブの他の一実施形態を示す。
【図６】図５のゴルフクラブの概略図を示す。
【図７】可変長ゴルフクラブの他の一実施形態の概略図を示す。
【図８】可変長ゴルフクラブの変形例の概略図を示す。
【図９】可変長ゴルフクラブの変形例の概略図を示す。
【図１０】可変長ゴルフクラブの変形例の概略図を示す。
【図１１】可変長ゴルフクラブの一実施形態のシャフトの一部を示す。
【図１２】可変長ゴルフクラブの一実施形態のロック機構を示す。
【図１３】図１２のロック機構用のカラーを示す。
【図１４】可変長ゴルフクラブの一実施形態のロック機構用の留め具を示す。
【図１５】図１４の留め具を使用するための工具を示す。
【図１６】可変長ゴルフクラブの他の一実施形態のロック機構を示す。
【図１７】図１６のロック機構用のカラーを示す。
【図１８】図１６のロック機構用のカラーの他の一実施形態を示す。
【図１９】図１６のロック機構用のカラーの他の一実施形態を示す。
【図２０】可変長ゴルフクラブの他の一実施形態のロック機構用の留め具を示す。
【図２１】図１６のロック機構用のカラーの他の一実施形態を示す。
【図２２】可変長ゴルフクラブの他の一実施形態のロック機構である図２４の留め具及び工具を示す。
【図２３】可変長ゴルフクラブの他の一実施形態のロック機構である図２４の留め具及び工具を示す。
【図２４】可変長ゴルフクラブの他の一実施形態のロック機構である図２４の留め具及び工具を示す。
【図２５】図２０の留め具と図２２〜２４の工具を用いた図１７をカラーの使用を示す。
【図２６】可変長ゴルフクラブの他の一実施形態のロック機構用の留め具を示す。
【図２７】可変長ゴルフクラブの他の一実施形態のロック機構用のカラーを示す。
【図２８】可変長ゴルフクラブの他の一実施形態のロック機構である図２６の留め具及び工具を示す。
【図２９】可変長ゴルフクラブの他の一実施形態のロック機構である図２６の留め具及び工具を示す。
【図３０】可変長ゴルフクラブの他の一実施形態のロック機構である図２６の留め具及び工具を示す。
【図３１】可変長ゴルフクラブの他の一実施形態のロック機構用のカラーを示す。
【図３２】図３１のカラーを使用するための工具を示す。
【図３３】可変長ゴルフクラブの他の一実施形態のロック機構用のカラーを示す。
【図３４】図３３のカラーの使用を描いた図を示す。
【図３５】可変長ゴルフクラブの他の一実施形態のロック機構用の留め具及びカラーを示す。
【図３６】可変長ゴルフクラブの他の一実施形態のロック機構用の留め具及びカラーを示す。
【図３７】可変長ゴルフクラブの他の一実施形態のロック機構用のカラーの断面図を示す。
【図３８】可変長ゴルフクラブの他の一実施形態のロック機構用のカラーの断面図を示す。
【図３９】可変長ゴルフクラブの他の一実施形態のロック機構用のカラーを示す。
【図４０】可変長ゴルフクラブの他の一実施形態のロック機構用のカラーを示す。
【図４１】可変長ゴルフクラブの他の一実施形態のロック機構用のカラーを示す。
【図４２】可変長ゴルフクラブの他の一実施形態のロック機構用のカラーを示す。
【図４３】可変長ゴルフクラブの一実施形態に用いられる連結機構を示す。
【図４４】可変長ゴルフクラブの一実施形態に用いられる連結機構を示す。
【図４５】可変長ゴルフクラブの一実施形態に用いられる連結機構を示す。
【図４６】可変長ゴルフクラブの他の一実施形態に用いられる連結機構を示す。
【図４７】可変長ゴルフクラブの他の一実施形態に用いられる連結機構を示す。
【図４８】図４６〜４７の連結機構が使用されるゴルフクラブのシャフトの内部断面図を示す。
【図４９】ゴルフクラブの一実施形態の製造方法を示すブロック図である。
【発明を実施するための形態】
【０００８】
図１、図３、および図５を参照すると、本開示による３つの例示的な可変長ゴルフクラブ１００、１０２、１０４が示されている。下記に詳細に説明するように、ゴルフクラブ１００は「標準」パターの例であり、ゴルフクラブ１０２は「ベリー」パターの例であり、ゴルフクラブ１０４は「長尺」パターの例である。通常、ゴルフクラブ１００は、両方のゴルフクラブ１０２、１０４よりも長さを相対的に短くすることができる。ゴルフクラブ１０４は、両方のゴルフクラブ１００、１０２よりも長さを相対的に長くすることができる。ゴルフクラブ１０２は、ゴルフクラブ１００よりも長さが相対的に長いが、ゴルフクラブ１０４よりも長さを短くすることができる。図２、図４、および図６も参照すると、各ゴルフクラブ１００、１０２、１０４は、第１の長さ１１８を規定する第一の端部１１４および第２の端部１１６を有する第１のシャフト１１２と、第１のシャフト１１２の第１の端部１１４に連結するためのホーゼル１２２を有するクラブヘッド１２０とを含む。各ゴルフクラブ１００、１０２、１０４は、第２の長さ１３０を規定する第１の端部１２６および第２の端部１２８を有する第２のシャフト１２４をさらに含む。グリップ１３２は、第２のシャフト１２４に配置することができる。中尺パター１０２は、より長い第１のシャフト１１２および／またはより長い第２のシャフト１２４を含むことができる。図５を参照すると、長尺パター１０４用に別のグリップ１３４を設けることができる。グリップ１３４は、第１のシャフト１１２に配置することができる。長尺パター１０４はまた、標準パター１００と比較して長い第２のシャフト１２４を含むことができる。長尺パター１０４はまた、より長い第１のシャフト１１２を含むことができる。本開示はパターに限定されず、任意のタイプのゴルフクラブ（例えば、ドライバタイプのクラブヘッド、フェアウェイウッドタイプのクラブヘッド、ハイブリッドタイプのクラブヘッド、アイアンタイプのクラブヘッド、ウェッジタイプのクラブヘッド、または他のタイプのパター型クラブヘッド）に適用可能である。
【０００９】
第１のシャフト１１２は中空とすることができ、第２のシャフト１２４を第１のシャフト１１２に移動可能に収容するために、第２のシャフト１２４の一部分の外径よりも大きい内径を備える部分を有することができる。あるいは、第２のシャフト１２４は中空とすることができ、第１のシャフト１１２を第２のシャフト１２４に移動可能に収容するために、第１のシャフト１１２の一部分の外径よりも大きい内径を備える部分を有することができる。図２および図４の例に示すように、標準パター１００および中尺パター１０２の場合、第２のシャフト１２４は中空とすることができ、第１のシャフト１１２を第２のシャフト１２４に移動可能に受け入れるために、第１のシャフト１１２の外径よりも若干大きい内径を有することができる。それに対して、図７の例に示すように、長尺パター１０４の場合、第１のシャフト１１２は中空とすることができ、第２のシャフト１２４を第１のシャフト１１２に移動可能に受け入れるために、第２のシャフト１２４の外径よりも若干大きい内径を有することができる。以下の例では、第１のシャフト１１２が、第２のシャフト１２４内に挿入可能であり、第２のシャフト１２４内を移動可能であるとして説明される。しかし、上記のように、本開示によるゴルフクラブは、長尺パター１０４の場合など、第１のシャフト１１２内に挿入可能であり、第１のシャフト１１２内を移動可能な第２のシャフト１２４を含むことができる。本明細書で説明する装置、方法、および製品はこの点について限定されない。
【００１０】
図８〜１０を参照すると、第２のシャフト１２４は中空とすることができ、内径１２５（図８〜１０に示す）を有することができる。第１のシャフト１１２の第２の端部１１６は、第２のシャフト１２４の内径１２５よりも若干小さい外径１１３（図１０に示す）を有するので、第１のシャフト１１２の第２の端部１１６を第２のシャフト１２４の第１の端部１２６から第２のシャフト１２４に挿入することができる。その結果、ゴルフクラブ１００、ゴルフクラブ１０２、またはゴルフクラブ１０４の全長Ｌは、以下の数式１によって近似的に規定される範囲内で調整可能である。
【００１１】
【数１】
0005973875.tif 000002
【００１２】
上式で、Ｌ１は第１の長さ１１８を表し、Ｌ２は第２の長さ１３０を表し、ＬＨはホーゼル１２２を含むクラブヘッド１２０の長さであり、ＬＩは第２のシャフト１２４に挿入された第１のシャフト１１２の長さである。ＬＩは、以下の数式２によって規定することができる。
【００１３】
【数２】
0005973875.tif 000003
【００１４】
上式で、ＬＩｍａｘは第２のシャフト１２４に挿入できる第１のシャフト１１２の最大部分であり、ＬＩｍｉｎは、第２のシャフト１２４に挿入できる第１のシャフト１１２の最小部分である。したがって、ＬＩｍａｘは、ゴルフクラブ１００、ゴルフクラブ１０２、またはゴルフクラブ１０４全体の最短の全長を表すことができ、ＬＩｍｉｎは、ゴルフクラブ１００、ゴルフクラブ１０２、またはゴルフクラブ１０４全体の最長の全長を表すことができる。
【００１５】
図８に示す一例によれば、第２のシャフト１２４全体が中空であり、かつ／またはその中に障害物が全くないので、第１のシャフト１１２の第２の端部１１６が、第２のシャフト１２４の第１の端部１２６に達するまで、第１のシャフト１１２を第２のシャフト１２４の中に挿入することができる。この例では、ＬＩｍａｘはＬ２にほぼ等しく、ゴルフクラブ１００、ゴルフクラブ１０２、またはゴルフクラブ１０４の最短の全長ＬはＬ≒Ｌ１＋ＬＨとして規定することができる。こうして、ゴルフクラブ１００、ゴルフクラブ１０２、またはゴルフクラブ１０４の最短の長さＬは、近似的に（Ｌ１＋ＬＨ）とすることができる。
【００１６】
図９に示す別の例によれば、第２のシャフト１２４の一部のみが中空であるか、または第２のシャフト１２４が、その内部にストッパ１３６を含むかのいずれかとすることができる。その結果、第１のシャフト１１２は、第１のシャフト１１２の第２の端部１１６がストッパ１３６に接触するまで第２のシャフト１２４に挿入することができる。したがって、この例では、ＬＩｍａｘは、ストッパ１３６から第２のシャフト１２４の第１の端部１２６までの距離によって規定することができ、最小の全長Ｌは、Ｌ≒Ｌ１＋Ｌ２＋ＬＨ−ＬＩｍａｘとして規定することができる。別の例では、ストッパ（図示せず）は、第２のシャフト１２４の内部ではなくて第１のシャフト１１２の外側面に置くことができる。そのようなストッパは、第２のシャフト１２４の第１の端部１２６と係合して、第１のシャフト１１２の第２のシャフト１２４へのそれ以上の挿入を妨げることができる。
【００１７】
図１０に示す別の例によれば、ゴルフクラブ１００、ゴルフクラブ１０２、またはゴルフクラブ１０４によって実現可能な最大全長Ｌは、ＬＩがＬＩｍｉｎにほぼ等しい場合に出現する。ＬＩがＬＩｍｉｎ未満の場合、下記に詳細に説明するが、第１のシャフト１１２および第２のシャフト１２４を互いにロックすることは不可能である。したがって、図１０の例によれば、最大全長Ｌは、Ｌ≒Ｌ１＋Ｌ２＋ＬＨ−ＬＩｍｉｎとして規定することができる。
【００１８】
図１１を参照すると、第２のシャフト１２４は、第１の端部１２６に最も近い端部部分１３８であって、第１のシャフト１１２と第２のシャフト１２４との間の移動を防止するために、第１のシャフト１１２に押し付けられて、第１のシャフト１１２と摩擦係合するように構成された端部部分１３８を含む。端部部分１３８は、第１のシャフト１１２に押し当たるように可撓性とすることができる。例えば、端部部分１３８は、可撓性ブッシュ、スプリング、または可撓性および／もしくは弾性を示す同様の構造体を含むことができる。図１１の例では、端部部分１３８は、第１の端部１２６から第２の端部１２８の方に延びる１つまたは複数のスリット１４０を含む。図１１の例では、端部部分１３８は、端部部分１３８を概ね同様な４つの片持ち板ばね１４２に分割する４つのスリット１４０を含む。各板ばね１４２は、第２のシャフト１２４の中心軸１４４に向かって曲げることができる。端部部分１３８は、任意の数量のスリット１４０を有することができる。例えば、端部部分１３８は、ただ１つのスリットを含むことができる。スリット１４０は、本開示による端部部分１３８の可撓性および／または弾性が得られる限り、直線、非直線、連続的、不連続的であってよいし、または任意の形状、大きさ、および／もしくは構成を有してもよい。スリット１４０は、第１のシャフト１１２を押すように端部部分１３８を構成した一例を示している。したがって、他の構成を有する端部部分１３８が可能である。例えば、端部部分１３８は、第１のシャフト１１２に押し当たって第１のシャフト１１２と摩擦係合する可撓性および／または弾性材料で構築することができる。本明細書で説明する装置、方法、および製品はこの点について限定されない。
【００１９】
第１のシャフト１１２は、長さ調整プロセス時にプレーヤを視覚的に補助するマーク（図示せず）を含むことができる。例えば、第１のシャフト１１２は、第１のシャフト１１２の長手方向に等間隔に離間した線、点、目盛りなどを含むことができる。線の一部またはすべては、線から第２のシャフト１２４までの実際の距離を表す、またはゴルフクラブ１００、ゴルフクラブ１０２、および／またはゴルフクラブ１０４の全長を表す数字を含むことができる。
【００２０】
第２のシャフト１２４の内側面は、上記の長さ調整時に第１のシャフト１１２の外側面にこすれるので、第１のシャフト１１２の外側面は表面に損傷を受けることがある。第２のシャフト１２４は、第１のシャフト１１２の外側面の表面損傷を防止するために、端部部分１３８の内側面に沿ってブッシュまたは他のタイプの摩擦低減パッド（図示せず）を含むことができる。ブッシュは、長さ調整時に、第１のシャフト１１２が第２のシャフト１２４に対してより滑らかに、かつより容易にスライドする助けとなることもできる。例えば、ブッシュは、パター長さの調整時に、第１のシャフト１１２と第２のシャフト１２４との間のより容易なスライド動作の助けとなる、テフロン（登録商標）などの低摩擦材料で製造することができる。ただし、ブッシュ用に任意の材料を使用することができる。あるいは、第２のシャフト１２４の外側面は、第１のシャフト１１２と第２のシャフト１２４との間のスライド動作によって生じることがある表面損傷を隠すために、粗面仕上げ、またはブラスト仕上げを行うことができる。一例では、摩耗および表面損傷を軽減または防止するために、第２のシャフト１２４と接触する第１のシャフト１１２の少なくとも一部分が構築される材料は、第１のシャフト１１２と接触する第２のシャフト１２４の少なくとも一部分が構築される材料と異なる硬度を有することができる。例えば、第１のシャフト１１２は金属で構築することができ、第２のシャフト１２４はグラファイトで構築することができる。その結果、第１のシャフト１１２および第２のシャフト１２４のスライド式の移動により、第１のシャフト１１２および／または第２のシャフト１２４が表面損傷を受ける恐れがなくなる。
【００２１】
ゴルフクラブ１００、ゴルフクラブ１０２、またはゴルフクラブ１０４はいずれも、人が長さを調整した後、第１のシャフト１１２と第２のシャフト１２４との間の移動を防止する、またはゴルフクラブ１００の長さを固定するロック機構を含むことができる。以下では、幾つかのロック機構例が、ゴルフクラブ１００に関連して説明される。しかし、開示するロック機構は、ゴルフクラブ１０２および／またはゴルフクラブ１０４に同様に適用可能である。さらに、本開示によるロック機構は、以下の例に限定されない。本明細書で説明する装置、方法、および製品はこの点について限定されない。
【００２２】
図１２および図１３を参照すると、一例によるロック機構２００が示されている。ロック機構２００は、通常、第２のシャフト１２４の第１の端部１２６を囲んで配置されるクランプまたはカラー２０２（以降カラー２０２と呼ぶ）を含む。カラー２０２は、Ｃ字形状部２０４と、Ｃ字形状部２０４のギャップ２１０を画定する、一対の対向するフランジ２０６、２０８とを含む。各フランジ２０６、２０８は、それぞれ留め具を受け入れるための開孔２１２、２１４を有する。図１２および図１３の例では、ボルト２１６（図１４に示す）などの留め具をカラー２０２と併用することができる。開孔２１２または開孔２１４の少なくとも一方の内壁は、ボルト２１６のシャフト２１７上の対応するねじと係合するようにねじを切ることができる。図１３の例では、開孔２１４は、ボルト２１６のシャフト２１７を受け入れるためにねじを切られ、開孔２１２は、ボルト２１６のねじ頭２１８（図１４に示す）を受け入れるために、開孔２１４よりも広くなっている。ボルト２１６は、トルクス（登録商標）ねじ頭２１８を有するトルクス（登録商標）ボルトとすることができる。ただし、ボルト２１６は、任意のタイプのねじ付きボルトとすることができ、Ａｌｌｅｎ（登録商標）レンチ、マイナスドライバ、プラスドライバなどの対応するタイプの工具を受け入れる任意のタイプのねじ頭、六角レンチまたは他のタイプの工具を受け入れる六角頭を有することができる。本明細書で説明する装置、方法、および製品はこの点について限定されない。
【００２３】
フランジ２０６、２０８を互いに向かって移動させることでギャップ２１０を縮め、それにより、カラー２０２を圧縮してカラー２０２の内径を縮小させる。カラー２０２を圧縮するためには、ボルト２１６を締め付けて、ボルト２１６のシャフト２１７を開孔２１４に通して前進させることができ、それにより、フランジ２０６、２０８を互いに向かって移動させる。カラー２０２を圧縮することで、板ばね１４２を第１のシャフト１１２に押し付けて（すなわち、板ばね１４２を中心軸１４４に向かって移動させて）、第１のシャフト１１２を第２のシャフト１２４に摩擦でロックする。外径１１３および内径１２５は、第１のシャフト１１２が第２のシャフト１２４内をスライドするようなものとされる。言い換えると、第１のシャフト１１２の外側面は、第２のシャフト１２４の内側面と接触することができる。その結果、ボルト２１６は、板ばね１４２を囲むカラー２０２を十分に圧縮するのに何回も回すことを必要としないので、第２のシャフト１２４の内側の第１のシャフト１１２を摩擦でロックするためのボルト１２６の締め付けを素早く完了させることができる。本開示によれば、摩擦によるロックとは、ゴルフクラブ１００の通常操作での使用中に、すなわちゴルフのプレー中に、第１のシャフト１１２および第２のシャフト１２４を互いに固定された状態に維持することと定義することができる。したがって、第１のシャフト１１２および第２のシャフト１２４が摩擦でロックされている場合、プレー中に、ゴルフクラブ１００が受ける摩擦力の範囲を超える力がゴルフクラブ１００に加わることで、第１のシャフト１１２および第２のシャフト１２４が互いに対してスリップし、ゴルフクラブ１００の長さが変わることがある。
【００２４】
ボルト２１６が緩められると、カラー２０２の弾性復元力により、カラー２０２は、ほぼ圧縮されていないカラー２０２の構成に戻り、ギャップ２１０が広くなる。したがって、ボルト２１６が十分に緩められると、人は第１のシャフト１１２および第２のシャフト１２４を互いに対して移動させて、ゴルフクラブの長さを調整することができる。一方、カラー２０２は押し付け力を板ばね１４２に加えることができ、それにより、板ばね１４２と第１のシャフト１１２との間を十分に摩擦係合させて、第１のシャフト１１２が第２のシャフト１２４に対して自由に移動するのを防止する。その結果、第１のシャフト１１２および第２のシャフト１２４は、人がゴルフクラブ１００の長さを物理的に調整するまで、それらの相対的な並進および回転位置を維持することができる。
【００２５】
図１５を参照すると、ゴルフクラブヘッド１００は、ボルト２１６を締め付ける、または緩めることができる工具２４０を含むことができる。ゴルフクラブ１００および工具２４０は、パッケージまたはキットとして提供することができる。工具２４０は、先端部２４２および握り２４４を含むことができる。先端部２４２は、ボルト２１６のねじ頭２１８に適合し、形状および大きさをボルト２１６のねじ頭２１８に合わせることができる。人は先端部２４２を使用してボルト２１６を締めることができる。この場合に、握り２４４を一方の方向に回転させるとボルト２１６が締まり、握り２４４を反対方向に回転させるとボルト２１６が緩む。ロック機構２００を用いて第１のシャフト１１２を第２のシャフト１２４に固定するために、３０〜５０ｌｂ・インチのトルクをボルト２１６に加えることができる。人がボルト２１６に過剰なトルクを加えるのを防止するために、工具２４０は、トルク制限工具とすることができる。例えば、先端部２４２および握り２４４は、トルク制限継手２４６で連結することができる。所定のトルクよりも大きいトルクが握り２４４に加えられた場合、継手２４６はスリップして、またはラチェット式に動作して、過剰なトルクが先端部２４２に伝達されるのを防止する。したがって、トルク制限機能を有する工具２４０は、過剰なトルクがボルト２１６にかかるのを防止し、それにより、ロック機構２００および／または第１のシャフト１１２および／または第２のシャフト１２４への損傷を防止する。本明細書で説明する装置、方法、および製品はこの点について限定されない。
【００２６】
図１６を参照すると、別の例示的なロック機構３００を有するゴルフクラブ１００が示されている。ロック機構３００は、第２のシャフト１２４の第１の端部１２６を囲んで配置することができるカラー３０２を含む。図１７〜１９を参照すると、カラー３０２はＣ字形状であり、ギャップ３１０を画定する第１の内側面３０６および第２の内側面３０８を含む。カラー３０２の１つの面は、第１の開口３１４からギャップ３１０に向かって延びて、第１の内側面３０６の第２の開口３１６を画定する穴３１２を含む。第２の開口３１６は、第２の内側面３０８に対向している。穴３１２は、対応する大きさの留め具を受け入れるように構成することができる。例えば、穴３１２は、図１４のボルト２１６の対応するねじと係合するようにねじを切ることができる。ボルト２１６を穴３１２に通して前進させる、またはボルト２１６を穴３１２から引き出すために、図１５の工具２４０などの工具を使用して、ボルト２１６を回転させることができる。
【００２７】
カラー３０２は、部分的にテーパの付いた、および／または完全にテーパの付いた円筒状とすることができる。図１６および図１７を参照すると、カラー３０２は、第１の端部３２２から移行部分３２４までテーパの付いた第１の部分３２０と、移行部分３２４から第２の端部３２８に向かってテーパの付いた第２の部分３２６とを含む。図１９の例に示すように、第１の部分３２０および第２の部分３２６は同様とすることができ、かつ／または対称にテーパを付けることができる。ただし、図１７の例に示すように、第２の部分３２６は、第１の部分３２０よりも急峻なテーパを付けることもできる。テーパの付いた構成により、略円筒形状のカラーと比べて、カラー３０２の重量を低減することができる。さらに、テーパの付いた構成により、見た目をきれいにすることができ、かつ／またはゴルフクラブ１００上で、第１のシャフト１１２と第２のシャフト１２４との間を視覚的に連続して移行させることができる。あるいは、カラー３０２はテーパの全くない円筒形とすることができる。移行部分３２４は、通常カラー３０２の中央に配置することができる。ただし、移行部分３２４は、第１の端部３２２と第２の端部３２８との間の任意の位置に配置することもできる。図１６〜１９の例に示すように、穴３１２は、留め具を収納し、留め具を操作することによるカラー３０２の圧縮および／または圧縮解除に係わる力に対処する十分な厚さおよび強度が得られるように、カラー３０２の全体的により厚い部分に配置することができる。例えば、図１６〜１８の例に示す穴３１２は、カラー３０２のより厚い部分であり得る移行部分３２４に配置されている。
【００２８】
図１８を参照すると、カラー３０２は、未拡張、未圧縮の構成において、第２のシャフト１２４の外径１２５よりも小さい内径３３０を有する。言い換えると、カラー３０２が休止状態で、カラー３０２に力が全く作用していない場合、内径３３０は、第２のシャフト１２４の外径１２５よりも小さい。カラー３０２の内径３３０と外径１２５との間の差は、カラー３０２が板ばね１４２を覆って配置された場合に、板ばね１４２と第１のシャフト１１２との間の摩擦係合が、第１のシャフト１１２を第２のシャフト１２４に摩擦でロックするのに、すなわち、ロック機構３００をロックするのに十分であるようなものとすることができる。
【００２９】
第１のシャフト１１２および第２のシャフト１２４が互いに対して移動するのを可能にするために、すなわち、ロック機構３００のロックを解くために、人はカラー３０２を広げて内径３３０を大きくすることができる。このように、カラー３０２は、第２のシャフト１２４の第１の端部１２６に板ばね１４２を覆って配置された場合に、標準設定として、第１のシャフト１１２を第２のシャフト１２４にロックする。第１のシャフト１１２および第２のシャフト１２４が互いに対して移動して、ゴルフクラブ１００の長さの調整機能を果たすことを可能にするために、カラー３０２を十分に広げて、板ばね１４２に作用する押し付け力を軽減することができる。カラー３０２を未拡張状態から広げるために、ボルト２１６、または下記に詳細に説明する例示的なボルトなどの留め具を使用することができる。
【００３０】
図２０を参照すると、別の例によるボルト３５０が示されている。ボルト３５０は、先端部分３５２、ねじ付きシャフト３５４、および頭部３５６を含む。シャフト３５４のねじは、カラー３０２の穴３１２内のねじと係合するように構成されている。先端部分３５２が第２の内側面３０８と係合するときに、先端部分３５２の近くにあるシャフト３５４のねじが万一潰れるのを防止するために、図２０に示すように、先端部分３５２はねじを切らないでおくことができ、かつ／または丸みを付けることができる。先端部分３５２により、シャフト３５４と第２の内側面３０８との間に空間が形成されて、ボルト３５０が第２の内側面３０８と接触し、第２の内側面３０８に対して回転した場合に、シャフト３５４のねじが損傷するのを防止する。先端部分３５２はまた、ボルト３５０が穴３１２に挿入されるときにガイドとして機能して、シャフト３５４のねじが穴３１２内のねじと最初に係合するときに、シャフト３５４のねじが潰れるのを防止することもできる。その結果、先端部分３５２は最初に穴３１２に入って、シャフト３５４のねじおよび穴３１２のねじが適切に係合するのを可能にする。図２１を参照すると、カラー３０２の第２の内側面３０８は、ボルト３５０の丸みの付いた先端部分３５２を受けるように構成された窪みまたはディンプル３５７を含むことができる。ディンプル３５７および／または先端部分３５２は、先端部分３５２とディンプル３５７との間の係合による摩擦を低減するために、摩擦低減材料でコーティングすることができる。頭部３５６は、下記に詳細に説明するように、対応して構成された工具との係合を可能にするように構成されている。例えば、頭部３５６は、図２０に示すように、六角形形状とすることができる。ただし、頭部３５６の形状は限定されず、対応して構成された工具との係合を可能にする任意の形状をとることができる。
【００３１】
図２２〜２４を参照すると、一例によるボルト３５０と係合する工具４００が示されている。工具４００は、ボルト３５０の頭部３５６を受け入れる（図２３に示す）止まり穴４０４を有する本体４０２を含む。穴４０４の内径は、頭部３５６を穴４０４に圧入するために、ボルト３５０の頭部３５６の外径よりも若干小さくすることができる。あるいは、ボルト３５０および工具４００は、連続する一体の部品となるように、共製造することもできる。さらに別の代替案では、穴４０４の内径は、頭部３５６を穴４０４に実質的に難なく出し入れできるように、ボルト３５０の頭部３５６の外径よりも若干大きくすることができる。穴４０４の形状は、ボルト３５０の頭部３５６の形状とほぼ同じにすることができる。例えば、頭部３５６が六角形形状の場合、穴４０４も六角形形状とすることができる。再度図２０を参照すると、ボルト３５０の頭部３５６は、頭部３５６を案内して穴４０４に挿入するための面取り部分３５９を含むことができる。代替案として、またはそれに加えて、穴は、頭部３５６を案内して穴４０４に挿入するための面取り付き内側縁部（図示せず）を含むことができる。
【００３２】
工具４００は、本体４０２に連結された両側の２つの握り４０６、４０８を含む。握り４０６、４０８により、人は工具４００をつかみ、保持することができる。さらに、握り４０６、４０８は、本体４０２から外側に延びているので、握り４０６または握り４０８はそれぞれ、人が工具４００を用いないでボルト３５０を回すのに必要とされる労力よりも少ない労力でボルト３５０を回すのを可能にするモーメントアームを形成する。各握りは、人が工具４００を回すときに、より良好に把持できるように、人の指または親指を受ける（図２３に示す）凹部４１０を握りの片側または両側に含むことができる。握り４０６、４０８の表面は、人が良好に把持できるようにテクスチャを付けることができ、かつ／または軟性のプラスチック材料で形成することができる。例えば、工具４００は、人の手のひらおよび／または指が良好に把持できるようにするリブ付き面４１２を含むことができる。工具４００は、キーホルダ、クリップ、ベルト、ゴルフバッグ、または人が持ち運ぶことができる他の物体もしくは付属品に工具４００を連結する１つまたは複数の開孔４１４（図２３に示す）を含むことができる。
【００３３】
ボルト３５０および工具４００は、ボルトおよび工具の例示的な実施形態である。本明細書で説明する装置、方法、および製品はこの点について限定されない。例えば、図１４のボルト２１６と同様なボルトをカラー３０２と併用することができる。したがって、図１５の工具２４０と同様な対応する工具を使用してボルト２１６を締めることができる。ボルトおよび対応する工具の他の構成も可能である。したがって、頭部および工具４００が互いに係合し、本明細書で説明したように機能できる限り、ボルト３５０の形状および工具４００の形状が限定されることは決してない。先端部分３５２、ディンプル３５７、および／または第２の内側面３０８は、先端部分３５２および／または第２の内側面３０８への表面損傷を防止する、かつ／または軽減するために、低摩擦材料で構築する、またはコーティングすることができる。他の例では、ボルト３５０および工具４００は、分離できないように一体化して構築することができる。その結果、ボルト３５０のシャフトは工具４００の本体から延びることができ、工具４００の本体の一体化部分とすることができる。ボルト３５０および工具４００は、ゴルフクラブの長さを調整するのに人が使用するレンチアセンブリを形成するようにキットとすることができる。キットは、ゴルフクラブの購入と共に人に提供することができ、かつ／または単独で提供することができる。
【００３４】
カラー３０２を用いたロック機構３００の組み立てが以下に説明される。第１のシャフト１１２、第２のシャフト１２４、およびロック機構３００を組むために、カラー３０２を第１のシャフト１１２上に配置することができる。次いで、図６に示すように、第１のシャフト１１２の第２の端部１１６を第２のシャフト１２４に挿入する。次いで、第２のシャフト１２４の第１の端部１２６において、カラー３０２を板ばね１４２上に配置する。カラー３０２を板ばね１４２上に配置する前に、板ばね１４２上に取り付けるためにカラー３０２を広げることが必要な場合がある。相応して、ボルト３５０および工具４００を用いてカラー３０２を広げ、板ばね１４２上でスライドさせることができる。図２１および図２５を参照すると、カラー３０２は、カラー３０２を板ばね１４２上でスライドさせる助けとなる、面取りされた内側縁部３４１を含むことができる。カラー３０２が板ばね１４２上に配置されると、カラー３０２の穴３１２からボルト３５０を取り外してギャップ３１０を閉じることができ、それにより、板ばね１４２を第１のシャフト１１２に押し付ける。カラー３０２に対接する板ばね１４２を押し付けることで、第１のシャフト１１２および第２のシャフト１２４が互いに摩擦でロックされる。
【００３５】
第１のシャフト１１２を第２のシャフト１２４に対して移動させて、ゴルフクラブ１００の長さを調整するために、カラー３０２を広げることができる。上記のように、ボルト３５０を図２５に示すように穴３１２に配置し、ボルト３５０の先端部分３５２が、カラー３０２の第２の内側面３０８またはディンプル３５７に係合するまで、ボルト３５０を穴３１２の中に進める。次いで、穴３１２内でボルト３５０をさらに前に進めてギャップ３１０をさらに開き、それにより、カラー３０２を広げる。その結果、板ばね１４２に作用するカラー３０２の押し付け力は、完全になくなるか、または少なくとも部分的になくなって、人による第１のシャフト１１２と第２のシャフト１２４との間の移動を可能にする。ゴルフクラブ１００の長さを調整した後、穴３１２からボルト３５０を引き抜くことで、カラー３０２が板ばね１４２を第１のシャフト１１２に押し付けるのが可能になる。この場合に、第１のシャフト１１２および第２のシャフト１２４は、摩擦により、調整した位置にロックされる。
【００３６】
カラー３０２は、ボルト３５０および工具４００を用いて広げられない限り未拡張位置の方に戻るので、第１のシャフト１１２および第２のシャフト１２４は、標準設定としてロック機構３００により摩擦でロックされる。したがって、ゴルフクラブ１００は、標準設定としてロック機構３００によりロック位置に維持される。工具の使用を必要とすることなく、ゴルフクラブ１００の長さを調整することもできる。例えば、カラー３０２は、迅速解放機構を含むことができ、迅速解放機構は、ゴルフクラブ１００の長さを調整するために、カラー３０２を拡張した構成に素早く移行させる機構である。迅速解放機構は、単に工具が不要のロック機構の一例にすぎず、工具が不要の他のロック機構を使用することも可能である。本明細書で説明する装置、方法、および製品はこの点について限定されない。
【００３７】
図２７を参照すると、別の例によるロック機構３００用のカラー５００が示されている。カラー５００は、特定の点で上記のカラー３０２と同様である。したがって、カラー５００の同じ部分は、カラー３０２の同じ部分の同じ参照番号で示される。カラー５００は、第１の穴部５０４および第２の穴部５０６を有する穴５０２を含む。第１の穴部５０４の内径にはねじが切られている。第２の穴部５０６の内径は、第１の穴部５０４の内径よりも大きい。その結果、環状の出っ張り５０８が、穴５０２内で第１の穴部５０４と第２の穴部５０６との間に画定される。
【００３８】
図２６を参照すると、別の例による、カラー５００と併用するボルト４５０が示されている。ボルト４５０は、先端部分４５２、ねじの付いた第１のシャフト４５４、第２のシャフト４５５、および頭部４５６を含む。ねじの付いた第１のシャフト４５４は、第１の穴部５０４の対応するねじと係合するように構成されている。第２のシャフト４５５はねじが切られておらず、第１のシャフト４５４よりも大きい外径を有することができる。したがって、第１のシャフト４５４および第２のシャフト４５５の外径の差により、環状のショルダ部４５７が画定される。第２のシャフト４５５の直径は、第２の穴部５０６に受け入れられる構成となるように、第２の穴部５０６の直径よりも小さい。先端部分４５２はねじが切られておらず、丸みを付けることができる。頭部４５６は、下記に説明するように、対応して構成された工具との係合を可能にするように構成されている。
【００３９】
図２８〜３０を参照すると、一例による、ボルト４５０と係合する工具６００が示されている。工具６００は、特定の点で上記の工具４００と同様である。したがって、工具６００の同じ部分は、工具４００の同じ部分の同じ参照番号で示される。ボルト４５０は、工具６００の穴４０４に圧入することができる。あるいは、ボルト４５０および工具６００は、連続する一体の部品となるように、共製造することもできる。さらに別の代替案では、穴４０４の内径は、頭部４５６を穴４０４に実質的に難なく出し入れできるように、ボルト４５０の頭部４５６の外径よりも若干大きくすることができる。穴４０４の形状は、ボルト４５０の頭部４５６の形状とほぼ同じにすることができる。例えば、頭部４５６が六角形形状の場合、穴４０４も六角形形状とすることができる。頭部４５６は、頭部４５６を案内して穴４０４に挿入するための面取り部分４５９を含むことができる。代替案として、またはそれに加えて、穴は、頭部４５６を案内して穴４０４に挿入するための面取り付き内側縁部（図示せず）を含むことができる。
【００４０】
カラー５００をゴルフクラブ１００などのゴルフクラブに組み込み、カラー５００、ボルト４５０、および工具６００を用いてロック機構３００を操作するのは、ロック機構３００のカラー３０２を用いた組立および操作と同様である。カラー５００をボルト４５０を用いて操作するのは、特定の点で、カラー３０２をボルト３５０を用いて操作するのと同様である。したがって、簡潔にするために、本明細書では同様の組み立て手順および操作について繰り返して説明しない。ボルト４５０は、先端部分４５２が、第２の内側面３０８に接触しながらこれを押してカラー５００を広げるように、穴５０２の中を進むことができる。第１のシャフト４５４が第１の穴部５０４に挿入され、その中にねじ込まれると、第２のシャフト４５５も第２の穴部５０６に向かって、またはその中を進む。第１のシャフト４５４は、ボルト４５０の環状のショルダ部４５７がカラー５００の環状の出っ張り５０８と係合するまで、第１の穴部５０４の中を進むことができる。その結果、第１のシャフト４５４は、第１の穴部５０４の中にさらに入るのを妨げられる。したがって、第１の穴部５０４内のねじの損傷を防止でき、第１のシャフト４５４の第１の穴部５０４への過度の挿入を防止でき、かつ／または第１のシャフト４５４の第１の穴部５０４への挿入深さを制御することができる。第１のシャフト４５４の第１の穴部５０４への挿入深さを制御することで、カラー５００が、先端部分４５２と第２の内側面３０８との間の接触により広がる量を制御することもできる。
【００４１】
図３１を参照すると、別の例によるロック機構３００用のカラー７００が示されている。カラー７００は、半径方向のギャップ７１０を画定するＣ字形状とされる。ギャップ７１０の片側に、カラー７００は、貫通穴、または止まり穴とすることができる第１の穴７１２を含む。ギャップ７１０の反対側に、カラー７００は、貫通穴、または止まり穴とすることができる第２の穴７１４を含む。穴７１２、７１４は、ギャップ７１０に関して対称に配置することができ、同じ寸法、および／または同じ他の穴特性を有することができる。穴７１２、７１４は同軸とすることができる。穴７１２、７１４の軸（図示せず）は平行、または非平行とすることができる。
【００４２】
図３２は、下記に詳細に説明するように、カラー７００のロックを解除するためにカラー７００と係合するように構成された例示的な工具７５０を示している。工具７５０は、支点７５６で連結された第１のレバー７５２および第２のレバー７５４を含む。支点７５６の片側で、第１のレバー７５２および第２のレバー７５４は、それぞれ第１のあご部７５８および第２のあご部７６０を画定する。支点７５６の反対側で、第１のレバー７５２および第２のレバー７５４は、それぞれ第１の握り７６２および第２の握り７６４を画定する。その結果、第１の握り７６２は、第１のあご部７５８を移動させ、第２の握り７６４は、第２のあご部７６０を移動させる。したがって、第１の握り７６２および第２の握り７６４が互いに向かって移動すると、第１のあご部７５８および第２のあご部７６０は離れていき、対照的に、第１の握り７６２および第２の握り７６４が離れていくと、第１のあご部７５８および第２のあご部７６０は互いに向かって移動する。第１のあご部７５８および第２のあご部７６０はそれぞれ、第１の係合先端部７６６および第２の係合先端部７６８を有し、第１の係合先端部７６６および第２の係合先端部７６８は、下記に詳細に説明するように、それぞれ第１の穴７１２および第２の穴７１４と係合するように構成されている。
【００４３】
カラー７００を用いたロック機構３００の組み立てが以下に説明される。第１のシャフト１１２、第２のシャフト１２４、およびロック機構３００を組むために、カラー７００を第１のシャフト１１２上に配置する。次いで、図６に示すように、第１のシャフト１１２の第２の端部１１６を第２のシャフト１２４に挿入する。次いで、第２のシャフト１２４の第１の端部１２６において、カラー７００を板ばね１４２上に配置する。カラー７００を板ばね１４２上に配置する前に、板ばね１４２上に取り付けるためにカラー７００を広げることが必要な場合がある。相応して、工具７５０を用いてカラー７００を広げ、板ばね１４２上でスライドさせることができる。図３１を参照すると、カラー７００は、カラー７００を板ばね１４２上でスライドさせる助けとなる、面取りされた内側縁部７２２を含むことができる。カラー７００が板ばね１４２上に配置されると、工具７５０をカラー７００から取り外して、ギャップ７１０を閉じることができ、それによって板ばね１４２を第１のシャフト１１２に押し付ける。カラー７００に対接する板ばね１４２を押し付けることで、第１のシャフト１１２とおよび第２のシャフト１２４が摩擦でロックされる。
【００４４】
図３２を参照すると、カラー７００を広げるために、工具７５０は、第１の係合先端部７６６および第２の係合先端部７６８を、それぞれカラー７００の第１の穴７１２および第２の穴７１４に挿入する係合によって、カラー７００と係合している。第１の係合先端部７６６および第２の係合先端部７６８は、第１の穴７１２および第２の穴７１４内に緩く、または若干摩擦のある態様で嵌まるように構成することができる。ギャップ７１０を広げる、すなわち、カラー７００を拡張した構成に置くために、第１の握り７６２および第２の握り７６４は互いに向かって移動され、それにより、第１のあご部７５８および第２のあご部７６０が離れる方向に移動する。第１の握り７６２および第２の握り７６４は、ギャップ７１０を広げるときに支点７５６でてこの作用が得られるように、第１のあご部７５８および第２のあご部７６０よりも長くすることができる。第１の握り７６２および第２の握り７６４が互いに向かって移動できる範囲は、工具７５０を使用する人の力に依存することがある。しかし、第１の握り７６２および第２の握り７６４を互いに向かって若干移動させるだけで、十分にカラー７００を拡張した構成に置くことができる。第１のシャフト１１２および第２のシャフト１２４が、ゴルフクラブ１００を好ましい長さにするように互いに対して配置された後、第１の握り７６２および第２の握り７６４は、より遠くに離れる方向に移動され、それにより、第１のあご部７５８および第２のあご部７６０が互いに向かって移動して、カラー７００を未拡張構成に置く。あるいは、工具７５０をカラー７００から取り外すことで、カラー７００の弾性により、カラー７００が未拡張構成に戻ることができて、板ばね１４２を第１のシャフト１１２に押し付ける。この場合に、第１のシャフト１１２および第２のシャフト１２４は、摩擦により、調整した位置にロックされる。
【００４５】
ゴルフクラブ１００および工具７５０は、パッケージまたはキットとして提供することができる。工具７５０は、ロック機構のロック解除およびロック操作をより容易にする特徴部を有することができる。例えば、工具７５０は、工具７５０を操作する助けとなるように、握り間、および／または第１のあご部７５８と第２のあご部７６０との間にスプリングなどを有することができる。工具７５０は、あご部および／または握りの位置が、握りおよび／またはあご部の任意の好ましい位置でロックされる／解放されるのを可能にするために、握り間、あご部間、および／または支点にロック／解放機構を有することができる。工具７５０は、上記の動作と反対の態様で動作するように構成することができる。例えば、握りを互いに向かって移動させることで、あご部を互いに向かって移動させることができ、握りを互いから遠ざけることで、あご部を離れる方向に移動させることができる。工具は、上記の工具７５０と全く異なる構成を有することができる。したがって、本明細書で説明した工具は単なる例を示しているに過ぎず、ロック機構３００を操作するために第１の穴７１２および第２の穴７１４と係合できる任意の工具を使用することができる。
【００４６】
図３３を参照すると、別の例によるロック機構用のカラー８００が示されている。カラー８００は、略Ｃ字形状とされ、カラー８００の少なくとも一部分にギャップ８１０を有することができる。カラー８００のロックおよびロック解除は、カラーの圧縮、ギャップ８１０の縮小、および／またはカラー８００の内径８２０の縮小に直接関係することができる。図３４は、カラー８００のロック状態を示しており、垂直軸にパーセントとしてロック度を示し、水平軸にパーセントとしてギャップ８１０の縮小を示している。図３３は、ロック機構の単なる一例であり、図３４にグラフで示すデータは単なる例示であり、開示したロック機構を限定するものでは決してない。カラー８００は、ギャップ８１０の縮小が特定のレベルに達するまで、ロック解除状態、または約０％のロック状態を維持することができる。図３４の例では、カラー８００は、ギャップ８１０の縮小が約５０％になるまでロック解除状態を維持する。ギャップ８１０の縮小が約５０％に達し、かつ／または約５０％を超えたときに、カラー８００は、ロック位置に移行する、または約１００％のロック状態になる。したがって、ロック機構は、ロック解除位置とロック位置との間をステップ関数の態様で移行することができる。言い換えると、カラー８００は、特定のカラー圧縮レベル、ギャップ８１０の特定の縮小量、および／またはカラー内径８２０の特定の縮小量に達したときに、ロック解除位置からロック位置にほぼ瞬間的に移行する。こうして、カラー８００は、ロック解除位置およびロック位置である２つの位置間を移行可能である。ロック解除位置は、カラー８００が約０％のロック状態であるとして図３４に示され、ロック位置は、カラー８００が約１００％のロック状態であるとして示されている。
【００４７】
特定のカラー圧縮レベル、ギャップ８１０の特定の縮小レベル、またはカラー内径８２０の特定の縮小レベルに達したときのカラーのロックは、自己で係合できる、またはゴルフクラブ１００の長さを調整する人が係合させることができる任意のタイプの留め具、ラッチ、および／またはロック機構を用いて行うことができる。そのような留め具、ラッチ、および／またはロック機構の例が下記に説明される。ただし、カラー８００から独立した、またはカラー８００上に一体に形成された任意のタイプの留め具、ラッチ、および／またはロック機構を使用して、本明細書で説明し、図３３および図３４に示すロック機能を果たすことができる。
【００４８】
図３５および図３６は、別の実施形態による例としてのロック機構９００を示している。ロック機構９００は、上記のカラー８００と同様に操作できるカラー９０２を含む。ロック機構９００はまた、例示的な一実施形態による締結機構９０４を含む。カラー９０２は、カラー９０２の片側に第１の穴９０６を有し、カラー９０２の反対側に第２の穴９０８を有する。第１の穴９０６および第２の穴９０８は、カラー９０２を通ってギャップ９１０に通じている。穴９０６、９０８はほぼ同軸とすることができる。
【００４９】
締結機構９０４は、穴９０６、９０８に受け入れられるように構成されたリベット９１１を含む。締結機構９００はまた、カラー９０２をロックおよびロック解除する工具（図示せず）を含むことができる。リベット９１１は、頭部９１２、シャフト９１４、および先端部分９１６を含む。頭部９１２の少なくとも一部分は、穴９０６、９０８の内径よりも大きい直径を有する。その結果、頭部９１２は、穴９０６、９０８に完全に挿入することができないので、穴９０６、９０８を通り抜けることができない。先端部分９１６は、シャフト９１４に連結され、シャフト９１４と同軸に延びる２つの突起９２０を含む。各突起９２０は楔状部分９２２を有する。楔状部分９２２がシャフト９１４と合流する位置で、先端部分９１６の幅は穴９０６、９０８の内径よりも大きくなっている。一方、突起９２０は、突起９２０を互いに向かって移動させることで突起９２０内に弾性復元力が発生するという点で板ばねと同様に機能する。したがって、突起９２０を穴９０６または穴９０８のいずれか一方に挿入することで、楔形部分９２２の傾斜した縁部が穴９０６または穴９０８と係合して、突起９２０が互いに向かって弾性的にたわむ。このように、突起９２０を穴９０６、または穴９０８のいずれか一方に押し込むことで、突起９２０を穴９０６または穴９０８に挿入することができる。しかし、突起９２０が穴９０６、９０８を通過するとすぐに、突起９２０はスナップ式に元通り開いて、楔状部分９２２が同じ穴に再度入るのを防止する。同じ穴に再度入るには、突起９２０は、楔状部分９２２が互いに向かって移動し、それにより、突起９２０が再度同じ穴を通過するのを可能にするように圧縮されなければならない。
【００５０】
カラー９０２をロック位置に移行させるために、工具（図示せず）を使用して、ギャップ９１０を縮めるようにカラー９０２を圧縮することができる。工具は独立した工具でよいし、またはロック機構９０２の一部であってもよい。この場合に、リベット９１１は、第１の穴９０６または第２の穴９０８のいずれか一方から穴９０６、９０８に挿入される。突起９２０が最初に第１の穴９０６に挿入され、次いで、第２の穴９０８に挿入されるとすると、突起９２０が第２の穴９０８を通り抜け、第２の穴９０８を出るとすぐに、突起９２０は、撓んだ位置からスナップ式に元通り開く。突起９２０の楔状部分９２２は、第２の穴９０８の外側のカラー８００の外側面と係合し、それにより、突起９２０が穴９０８に再度入るのを防止する。その結果、カラー９０２は、リベット９１１によって圧縮位置に維持され、この圧縮位置は、カラー９０２のロック位置に相当する。カラー９０２をロック解除位置に移行させるために、楔状部分９２２を手で、または別の工具（図示せず）もしくは同じ工具を用いて互いに向かって撓ませて、第２の穴９０８に押し通すことができる。楔状部分９２２が第２の穴９０８に入ると、カラー９０２は、カラーの弾性復元力によってロック位置から解放される。その結果、カラー９０２はロック解除位置に移行する。望ましい場合、リベット９１１は、上記した穴９０８からの取り外しと同様に穴９０６から取り外すことができる。カラー９０２を圧縮してカラー９０２をロック位置に移行させるために使用される工具は、カラー９０２のロックを解除する機能を果たすこともできる。例えば、工具は、楔状部分９２２が穴９０６、９０８のいずれも通過することを可能にするように、リベット９１１の楔状部分９２２を互いに向かって撓ませるための部分を有することができる。ゴルフクラブ１００、ならびにカラー９０２をロック位置および／またはロック解除位置に移行させる工具は、パッケージまたはキットとして提供することができる。本明細書で説明する装置、方法、および製品はこの点について限定されない。
【００５１】
カラー９０２は、板ばね１４２を囲むように第２のシャフト１２４の第１の端部１２６に配置する、または置くことができる。カラー９０２がロック解除構成にある場合に、内径９３０は、板ばね１４２によって画定される第２のシャフトの第１の端部１２６の外径よりも若干小さくてもよい。カラー９０２は、カラー９０２を板ばね１４２上でスライドさせる助けとなる、面取りされた内側縁部９３１を含むことができる。カラー９０２が第２のシャフト１２４の第１の端部１２６（すなわち、板ばね１４２）を覆って取り付けられると、カラー９０２の弾性により、カラー９０２は、板ばね１４２を第１のシャフト１１２に若干押し付ける。しかし、板ばね１４２と第１のシャフト１１２との間の摩擦係合は、カラー９０２のロック解除位置においては十分でないので、第１のシャフト１１２および第２のシャフト１２４が互いに対して移動するのを阻止することができない。人が、第１のシャフト１１２および第２のシャフト１２４を互いに対して移動させることで、ゴルフクラブ１００の長さを調整した後、上記に詳細に説明したように、カラー９０２をロック位置に移行させることができる。したがって、人は、リベット９１１がカラーをロックするまで、すなわち、図３４の例に従って、ギャップ９１０が特定量だけ縮小するまで、カラーを圧縮することができる。カラー９０２のロック位置では、カラー９０２を用いて板ばね１４２にかけられる押し付け力によって板ばね１４２を押し付けることで、第１のシャフト１１２および第２のシャフト１２４が摩擦により互いにロックされる。第１のシャフト１１２を第２のシャフト１２４に対して移動させて、ゴルフクラブ１００の長さを再度調整するために、上記に詳細に説明したように、カラー９０２をロック解除位置に移行させることができる。本明細書で説明した、カラー９０２を使用してゴルフクラブ１００の長さを調整する機能および手順は、カラー９０２を含む、本開示によるすべてのカラーに等しく適用可能である。
【００５２】
図３７および図３８を参照すると、別の例示的な実施形態によるカラー１０００が示されている。カラー１０００は、ギャップ１０１０を画定するＣ字形状とされる。カラーは第１の端部１０１２を含み、第２のシャフト１２４の第１の端部１２６は、第１の端部１０１２からカラー１０００に挿入される。カラー１０００は、通常、カラー１０００のほぼ全体の内径を画定する第１の内径１０１４を有する。カラー１０００は、第２の端部１０１６に第２の内径１０１８を含み、第２の内径１０１８は、第２の端部１０１６にある出っ張り１０２０を画定するように、内径１０１４よりも若干小さくなっている。第２のシャフト１２４の第１の端部１２６がカラー１０００に挿入されると、第１の端部１２６は出っ張り１０２０と係合し、出っ張り１０２０は、第１の端部１２６がカラー１０００の第２の端部１０１６を越えて移動するのを防止する。言い換えると、出っ張り１０２０は、第２のシャフト１２４がカラー１０００に挿入されるときに第２のシャフト１２４の第１の端部１２６用のストッパとして機能する。
【００５３】
図３８を参照すると、カラー１０００は、ギャップ１０１０の両側に凹部１０２２をさらに含む。各凹部１０２２は、カラー１０００の内径１０１４よりも大きい内径を有するとして規定することができる。凹部１０２２により、カラー１０００を未拡張構成から大幅に広げる必要なしに、カラー１０００を第２のシャフト１２４の第１の端部１２６に配置することが可能になる。第２のシャフト１２４の第１の端部１２６がカラー１０００に挿入されるときに、第１の端部１２６に配置された板ばね１４２は、カラー１０００の内径１０１４に合わせて若干縮小することがある。しかし、凹部１０２２があるために、板ばね１４２は、カラー１０００に入る間、あまり縮小しなくてよい。したがって、凹部１０２２により、カラー１０００を第２のシャフト１２４の板ばね１４２上に、より容易に組み込むことができる。
【００５４】
図３９および図４０は、別の例示的な実施形態によるカラー１１００を示している。カラー１１００は、多くの点で図２７のカラー５００と同様である。したがって、カラー１１００の同じ部分は、カラー５００の同じ部分の同じ参照番号で示される。カラー１１００は、複数の内側環状リブ１１２２によって画定される複数の内側環状チャネル１１２０を含む。カラー１１００の薄い壁で囲まれた部分を画定するチャネル１１２０により、カラー１１００の重量をカラー５００と比較して軽くすることができる。その一方で、リブ１１２２により、カラー１１００の開示した機能を果たすための十分な構造強度を得ることができる。図３９および図４０に示すように、第１の穴５０４および第２の穴５０６を含む穴５０２は、穴５０２で留め具が使用される場合に、穴５０２に十分な構造強度をもたらすように、内側環状リブ１１２２の１つに沿って配置されている。図３９および図４０は、チャネルをカラーの内側に形成することで、カラーの重量を低減する一例を示している。チャネルは、カラー１１００の内壁から材料を除去して形成することができる。したがって、カラーは、カラーの重量を低減するために材料が除去された様々なチャネル、ディンプル、開孔、または他の部分を有するように構成することができる。
【００５５】
図４１および図４２は、別の例示的な実施形態によるカラー１２００を示している。カラー１２００はＣ字形状とされ、ギャップ１２１０を含む。カラー１２００は、第１の部分１２２０、第２の部分１２２２、および第３の部分１２２４を含むことができる。第１の部分１２２０は、カラーの第１の端部１２２６から第２の部分１２２２まで延びている。第３の部分１２２４は、第２の部分１２２２から第２の端部１２２８まで延びている。第１の部分１２２０および第３の部分１２２４は、図４２に示すように、第２の部分１２２２に向かって外方に傾斜することができる。第１の部分１２２０は、複数の外側環状リブ１２３２によって画定される複数の外側環状チャネル１２３０を含むことができる。図４１および図４２の例では、第１の部分１２２０は、１つのチャネル１２３０および１つのリブ１２３２を有するように示されている。第３の部分１２２４はまた、複数の外側環状リブ１２３６によって画定される複数の外側環状チャネル１２３４を含むことができる。チャネル１２３０、１２３４は、カラーの重量を低減するための、カラー１２００の薄い壁で囲まれた部分を画定する。その一方で、リブ１２３２、１２３６は、カラー１２００の開示した機能を果たすための十分な構造強度をもたらすことができる。穴１２４０は、ボルトを受け入れるために第２の部分１２２２に設けられている。第２の部分１２２２は、穴１２４０を支持するために、カラー１２００のより薄い壁で囲まれた部分を形成するチャネルおよびリブを有さないように示されている。図４１および図４２は、チャネルおよびリブをカラーの外側に形成することで、カラーの重量を低減する一例を示している。チャネルは、カラーの外壁から材料を除去して形成することができる。したがって、カラーは、カラーの重量を低減するために材料が除去された様々なチャネル、ディンプル、開孔、または他の部分を有するように構成することができる。
【００５６】
図４３〜４５を参照すると、例示的な実施形態による連結機構２０００が示されている。連結機構２０００は、第１の部分２００４および第２の部分２００６を有する挿入体２００２を含む。第１の部分２００４は、第１のシャフト１１２の第２の端部１１６の内径１１７よりも小さくすることができる外径２０１０を有する略円筒形とすることができる。第１の部分２００４は、第１のシャフト１１２の第２の端部１１６に挿入し、任意のタイプのエポキシ系接着剤などの接着剤等で第２の端部１１６に固定することができる。第１の部分２００４は、十分な接着剤が第１の部分２００４と第１のシャフト１１２との間に供給できるように、接着剤を受け入れる環状溝２０１２を含むことができる。溝２０１２は、第１の部分２００４の表面構造のタイプの単なる一例を示す。直線溝、非直線溝、不連続溝、スロット、ディンプル、チャネル、突起、および／または様々なパターンを有するテクスチャなどの任意のタイプの表面構造を第１の部分２００４に設けることができる。あるいは、第１の部分２００４の外径２０１０は、内径１１７よりも若干大きくすることができる。その結果、第１の部分２００４は、第１のシャフト１１２と締まり嵌めを形成するように、第１のシャフト１１２の内側に圧入することができる。第１の部分２００４の外側面は、第１の部分２００４と第１のシャフト１１２との間の締まり嵌めを強化するために、リブ、隆起、突起、および／またはテクスチャの付いた面を含むことができる。
【００５７】
第２の部分２００６は略円筒形であり、第１のテーパ部分２０２０および第２のテーパ部分２０２２を含む。第１のテーパ部分２０２０および第２のテーパ部分２０２２は共に、第２の部分２００６の大きい方の外径２０２６を画定できる大直径部分２０２４に向かって外方に傾斜することができる。大きい方の外径２０２６は、第２のシャフト１２４の第１の端部１２６の内径よりも大きくすることができる。その結果、大直径部分２０２４は、第２のシャフト１２４の第１の端部１２６と締まり嵌めを形成する。第２のテーパ部分２０２２の外径は、第２のテーパ部分２０２２が第１の部分２００４と合流する位置で第１の部分２００４の外径よりも大きく、第１のシャフト１１２の第２の端部１１６の内径よりも大きい。その結果、第２のテーパ部分２０２２と第１の部分２００４との間の移行領域はショルダ部２０２８を画定する。
【００５８】
図４４を参照すると、挿入体２００２は、ショルダ部２０２８が、第１のシャフト１１２の第２の端部１１６の端面と係合するまで、第１の部分２００４を第１のシャフト１１２の第２の端部１１６に挿入することで、第１のシャフト１１２と共に組み立てることができる。ショルダ部２０２８は、第１のシャフト１１２の第２の端部１１６用のストッパとして機能する。第１の部分２００４の第１のシャフト１１２への挿入時に、第１の部分２００４のテーパの付いた端部２０３０は、第１の部分２００４を第１のシャフト１１２に案内するのに役立つ。上記のように、挿入体２００２の第１の部分２００４は、接着剤を用いて、または締まり嵌めによって、第１のシャフト１１２の第２の端部１１６に固定することができる。挿入体２００２を第１のシャフト１１２と共に組み立てた構成では、挿入体２００２および第１のシャフト１１２は同心とすることができる。
【００５９】
第２のシャフト１２４は、第２の部分２００６を第２のシャフト１２４の第１の端部１２６に挿入することで、第１のシャフト１１２と共に組み立てることができる。第２の部分２００６の第２のシャフト１２４への挿入時に、第２の部分２００６の第１のテーパ部分２０２０は、第２の部分２００６を第２のシャフト１２４の中に案内するのに寄与し、さらに、第２のシャフト１２４に挿入するために、第２の部分２００６を圧縮するのに寄与する。組立時に、大直径部分２０２４は第２のシャフト１２４の内壁と係合して、第２のシャフト１２４と締まり嵌めを形成する。挿入体２００２を第２のシャフト１２４と共に組み立てた構成では、挿入体２００２および第２のシャフト１２４は同心とすることができる。第２の部分２００６と第２のシャフト１２４との間の締まり嵌めにより、大直径部分２０２４が圧縮されて、大直径部分２０２４は、第２のシャフト１２４の第１のシャフト１１２に対する同軸度を維持するように第２のシャフト１２４に力を作用させる。その結果、挿入体２００２は、第１のシャフト１１２と第２のシャフト１２４とが同心となる組み立てを可能にする。さらに、大直径部分２０２４は、第２のシャフト１２４の第１の端部１２６との係合によって圧縮されるので、大直径部分２０２４は、第２のシャフトの第１の端部１２６と常に係合する。したがって、人がゴルフクラブ１００を使用時に（すなわち、ゴルフクラブ１００のゴルフボールとのインパクト時に）、第１のシャフト１１２と第２のシャフト１２４との間の移動および／または振動を挿入体２００２によって防止することができる。
【００６０】
図４６および図４７は、別の例による挿入体２０５０を示している。挿入体２０５０は、特定の面で挿入体２００２と同様である。したがって、挿入体２０５０の同様な部分は、挿入体２００２の同じ部分として同じ参照番号で示される。第２の部分２００６は、第２のシャフト１２４に挿入されるときに、挿入体２００２の第２の部分２００６と比較して、第２の部分２００６のさらなる圧縮を可能にするスリット２０５２を含む。その結果、第２の部分２００６の大外径２０２４は、挿入体２００２よりも挿入体２０５０において大きくすることができる。さらに、スリット２０５２を有しているために第２の部分２００６が縮められて、第２の部分２００６が弾性復元力で第２のシャフト１２４の内壁を押し、それにより、第２の部分２００６と第２のシャフト１２４の内壁との間の一定の接触および偏心が維持される。さらに、スリット２０５２に起因する第２の部分２００６の圧縮により、人が第２の部分２００６を第２のシャフト１２４に挿入するのをより容易にすることができる。
【００６１】
挿入体２０５０の第２の部分２００６は、複数の長手方向リブ２０５４をさらに含むことができる。図４７および図４８を参照すると、各リブ２０５４は、第２のシャフト１２４の第１の端部１２６の内側にある対応するスロット２０５６に受け入れられるように構成されている。リブ２０５４がスロット２０５６に係合すると、挿入体２０５０は、第２のシャフト１２４に対して回転するのを妨げられる。さらに、挿入体２０５０の第１の部分２００４は、第１のシャフト１１２に固定されるため、スロット２０５６内にリブ２０５４を係合させることで、第２のシャフト１２４の第１のシャフト１１２に対する回転を防止することもできる。挿入体２０５０の第２の部分２００６が第２のシャフト１２４に挿入されるときに、リブ２０５４とスロット２０５６とが整列していないことがあるので、リブ２０５４はスロット２０５６と容易に係合することができない。しかし、第２のシャフト１２４を回転させることで、各リブ２０５４はスロット２０５６に到達し、第２のシャフト１２４によって圧縮された第２の部分２００６の弾性力によってスロット２０５６にスナップ式に嵌まることができる。したがって、第２の部分２００６を第２のシャフト１２４に挿入した後、第２のシャフト１２４を第１のシャフト１１２に対して回転させることで、リブ２０５４がスロット２０５６と係合して、回転動作に関して第２のシャフト１２４を第１のシャフト１１２に対してロックすることができる。リブ２０５４およびスロット２０５６は、各リブ２０５４が対応するスロット２０５６と係合し、開示したように機能できる限り、任意の形状、大きさ、および／または構成をとることができる。リブ２０５４がスロット２０５６と係合することで、さらに、人によるゴルフクラブ１００の使用時に（すなわち、ゴルフボールを打撃するときに）、回転運動および／または振動を防止または軽減することができる。
【００６２】
挿入体２００２、２０５０は、プラスチック、金属、複合材料、木材、および／または任意の人工もしくは天然材料などの任意の材料から構築することができる。一例によれば、挿入体２００２、２０５０は、アクリロニトリルブタジエンスチレン（ＡＢＳ）から構築することができる。挿入体２００２および／または挿入体２０５０は、スタンピング（すなわち、機械プレスもしくは型押しプレスを使用するプレス抜き、ブランキング、エンボス加工、曲げ加工、フランジング、またはコイニング）、鋳造、射出成形、鍛造、機械加工、またはそれらの組み合わせ、あるいは金属、プラスチック、および／または複合材の各部品を製造するのに使用される他のプロセスによって形成することができる。
【００６３】
第１のシャフト１１２が第２のシャフト１２４に挿入されるように構成されたゴルフクラブ１００に関連して、挿入体２００２、２０５０が上記に説明された。しかし、上記したように、長尺パター１０４の場合と同様に、第２のシャフト１２４が第１のシャフト１１２に挿入されてもよい。その結果、挿入体２００２または挿入体２０５０の第１のシャフト１１２および第２のシャフト１２４への挿入の順番を逆にすることができる。言い換えると、挿入体２００２または挿入体２０５０の第１の部分２００４を第２のシャフト１２４に挿入することができ、第２の部分２００６を第１のシャフト１１２に挿入することができる。したがって、使用されるゴルフクラブのタイプに応じて、挿入体２００２または挿入体２０５０を適宜使用して、開示した機能を果たすことができる。
【００６４】
一例によれば、ゴルフクラブの長さは、クラブのヘッド重量と関係があり得る。ヘッド重量は、ゴルフクラブをスイングするときに、人が受けるヘッドの慣性として定義することができる。表１を参照すると、標準パター、中尺パター、および長尺パター用の調整長さが、ヘッド重量の範囲別に示されている。したがって、人は、表１に基づき、または表１の表の値を導出する数式に基づき、そのヘッド重量に応じてパターの長さを調整することができる。本明細書で説明する装置、方法、および／または製品はこの点について限定されない。
【００６５】
【表１】
0005973875.tif 000004
【００６６】
本開示によるカラーを有する例示的なロック機構により、ロック機構のない同様なクラブと比較して、ゴルフクラブの全体重量が増えることがある。記した重量の増加は、カラーの追加と、一方のシャフトを他方のシャフトに挿入するために、第１のシャフトおよび／または第２のシャフトの長さを長くしたこととによるものである。例えば、本明細書で説明した例によるカラーの重さが３５グラムの場合、そのようなカラーを有するゴルフクラブの重量は、同様の調整不可能なゴルフクラブよりも少なくとも３５グラム重くなり得る。さらに、第１のシャフト１１２および第２のシャフト１２４は、本明細書で詳細に説明したように入れ子式（すなわち、一方のシャフトが他方のシャフトの中に部分的に収まる）の特徴を有するので、記した入れ子式の特徴に寄与する、第１のシャフト１１２および第２のシャフト１２４の余分な長さにより、同様の調整不可能なゴルフクラブと比較して、ゴルフクラブの重量がさらに重くなり得る。第２のシャフト１２４を上側シャフト、第１のシャフト１１２を下側シャフトとすると、本開示によるゴルフクラブの下側／上側質量比を求めることができる。下側／上側質量比は、本明細書では質量比と称することができる。可変長ゴルフクラブの質量比を大きくして、ゴルフクラブの全体重量を軽くする、かつ／またはゴルフクラブの全体重量のバランスをとるために、第２のシャフト１２４および第１のシャフト１１２は、下記に説明するように、同じ材料、または異なる密度もしくは他の物理特性を有する異なる材料で構築することができる。
【００６７】
質量比を大きくするために、ゴルフクラブの構造特性および／または機能特性に影響を及ぼすことなく、第１のシャフト１１２の質量を大きくし、かつ／または第２のシャフト１２４の質量を小さくすることができる。一例によれば、第１のシャフト１１２および第２のシャフト１２４は共に、同じ材料で構築することができる。ただし、第１のシャフト１１２は第２のシャフト１２４よりも大きい質量を有することができる。例えば、第１のシャフト１１２は、特定の壁部厚さを有する特定のタイプの鋼管で構築することができ、一方、第２のシャフト１２４は、壁部がより薄い同じタイプの鋼管で構築することができる。こうして、第１のシャフト１１２の質量／長さを第２のシャフト１２４の質量／長さよりも大きくし、それによって、質量比を大きくすることができる。別の例では、第１のシャフト１１２は、特定の壁部厚さを有する特定のタイプの鋼管で構築することができ、一方、第２のシャフト１２４は、第１のシャフト１１２と比較して、第２のシャフト１２４の質量／長さを小さくするために壁部厚さを薄くしたわずかな領域を除き、概ね同じ壁部厚さを有する同じタイプの鋼管で構築することができる。さらに、第１のシャフト１１２の密度および／または体積は、同様に質量比を大きくするために、第２のシャフト１２４の密度および／または体積よりも大きくすることができる。
【００６８】
別の例によれば、第１のシャフト１１２および第２のシャフト１２４は、異なる質量または全体密度を有する異なる材料で構築することができる。ただし、第１のシャフト１１２は、第２のシャフト１２４よりも大きい質量、または大きい全体密度を有することができる。例えば、第１のシャフト１１２は鋼で構築することができ、第２のシャフト１２４はグラファイトで構築することができる。あるいは、第２のシャフト１２４は、十分な構造強度をもたらすと同時に、鋼よりも密度が低いアルミニウム、チタン、グラファイト系または他のタイプの複合材料、金属合金、木材、各種樹脂材料、および／あるいはこれらの材料の組み合わせで構築することができる。別の例では、第１のシャフト１１２はチタンで構築することができ、第２のシャフト１２４はグラファイトで構築することができる。例えば、第１のシャフト１１２および第２のシャフト１２４は、グラファイトで構築された場合よりも、鋼で構築された場合に大きい質量を有することができる。その結果、質量比を大きくし、一方で、場合によっては、ゴルフクラブの全体重量も軽くするために、第１のシャフト１１２は鋼で構築することができ、第２のシャフト１２４はグラファイトで構築することができる。本明細書で説明する装置、方法、および製品はこの点について限定されない。
【００６９】
一例によれば、本開示によるカラーは、質量比を大きくするために、同じ、または異なる材料で構築することができる。例えば、カラーの下側部分は、カラーの上側部分よりも密度の高い材料で形成することができる。別の例によれば、カラーの質量は、質量比を大きくするために、第１のシャフト１１２または第２のシャフト１２４の物理特性（すなわち、構築材料、寸法、密度など）に応じて増減させることができる。例えば、本開示による可変長ゴルフクラブ上のカラーの位置に基づいてカラーの質量を大きくすることで、質量比を大きくすることができ、かつ／またはゴルフクラブの全体的な重量バランスを良好にすることができる。対照的に、ゴルフクラブのタイプによっては、カラーの質量を小さくすることで、質量比を大きくすることができ、かつ／またはゴルフクラブの全体的な重量バランスを良好にすることができる。
【００７０】
表２は、第１のシャフト１１２および／または第２のシャフト１２４をグラファイトおよび／または鋼で構成した場合の質量比の例を示している。示すように、第１のシャフト１１２が鋼で構築され、第２のシャフト１２４がグラファイトで構築された場合に、表２に示す例の中で最も大きな質量比が得られる。第１のシャフト１１２および第２のシャフト１２４が共にグラファイトで構築されたパターは低い質量比を有する。ただし、そのようなパターは、鋼／グラファイト製パターよりも全体重量を軽くすることができる。したがって、質量比を大きくすることが、パターの全体重量を軽くすることよりも重要な場合、第１のシャフト１１２は鋼で構築することができ、第２のシャフト１２４は、グラファイトで構築することができる。反対に、パターの全体重量を軽くすることが質量比を大きくすることよりも重要な場合、第１のシャフト１１２および第２のシャフト１２４の両方をグラファイトで構築することができる。あるいは、表２に示す質量比を付与するために、第１のシャフト１１２および第２のシャフトを鋼で構築することができる。表２は、材料特性の質量比に及ぼす影響の例を示しており、示した材料または物理特性に限定されない。
【００７１】
【表２】
0005973875.tif 000005
【００７２】
図４９を参照すると、本開示によるゴルフクラブを製造する例示的な方法３０００が示されている。方法３０００は、第１のシャフト１１２および第２のシャフト１２４を形成することを含むことができる（ブロック３０１０）。第２のシャフト１２４は、第１のシャフト１１２の一部分を移動可能に受け入れる構成とされた中空部分を含むように形成することができる。方法３０００によれば、ヘッド１２０は、第１のシャフト１１２の第１の端部１１４に取り付けられ（図４９には示されていない）、グリップ１３２は、第２のシャフト１２４に取り付けられる（図４９には示されていない）。長尺パター１０４に関しては、第２のグリップ１３４を第１のシャフト１１２に取り付けることもできる。方法３０００によれば、開示したように、第１のシャフト１１２および第２のシャフト１２４を摩擦でロックするのに使用するために、開示したカラーのいずれかなどのカラーを形成することができる（ブロック３０２０）。図２７を参照すると、カラー５００は、ギャップ３１０を含むように形成することができる（図示せず）。カラー５００は、図２６のボルト４５０などのボルトを受け入れる第１の穴部５０４および第２の穴部５０６をさらに含むように形成することができる。第２の穴部５０６は、環状出っ張り部５０８を画定するために、第１の穴部５０４の直径よりも大きい直径を有することができる。図２６を参照すると、ボルト４５０は、第１の穴部５０４に受け入れられる構成とされた第１のボルト部４５４と、第２の穴部５０６に受け入れられる構成とされた第２のボルト部４５５とを含むように形成することができる（図４９には示していない）。第２のボルト部４５５は、環状のショルダ部４５７を画定するために、第１のボルト部４５４の直径よりも大きい直径を有することができる。
【００７３】
第１のシャフト１１２および／または第２のシャフト１２４は、ステンレス鋼、アルミニウム、チタン、様々な他の金属または金属合金、複合材料、木材または石材などの天然材料、あるいはプラスチックなどの人工材料等の任意のタイプの材料で構築することができる。第１のシャフト１１２および／または第２のシャフト１２４は、スタンピング（すなわち、機械プレスもしくは型押しプレスを使用するプレス抜き、ブランキング、エンボス加工、曲げ加工、フランジング、またはコイニング）、鋳造、射出成形、鍛造、機械加工、またはそれらの組み合わせ、あるいは金属、複合材、プラスチック、または木質の各部品を製造するのに使用される他のプロセスによって構築することができる。例えば、グラファイトで構築されるシャフトは、シート積層プロセス、フィラメントワインディングプロセス、または樹脂トランスファー成形プロセスによって形成することができる。第２のシャフト１２４を製造した後、第２のシャフト１２４の第１の端部１２６にスリット１４０を入れることができる。あるいは、端部部分１３８は、第２のシャフト１２４の第１の端部１２６に取り付けられる、別々に製造された部品とすることができる。板ばね１４２は、ばね鋼、プラスチック、複合材料、または他の材料で製造することができる。各板ばね１４２は、第２のシャフト１２４に取り付けられる独立した部片でよいし、または第２のシャフト１２４と共製造されてもよい。
【００７４】
本開示によるカラー、ボルト、および／または工具は、任意の金属または金属合金、プラスチック、複合材料、木材、あるいはそれらの組み合わせで構築することができる。例えば、カラー、ボルト、および／または工具は、アルミニウム、鋼、またはチタンで構築することができる。本開示によるカラーは、人によるゴルフクラブ１００の使用中に、ボルトが緩むのを防止するために、ボルトを受け入れる各カラーのそれぞれの穴に１つまたは複数の鋼製ヘリコイルおよび／またはワッシャを含むことができる。本開示によるカラー、ボルト、および／または工具は、スタンピング（すなわち、機械プレスもしくは型押しプレスを使用するプレス抜き、ブランキング、エンボス加工、曲げ加工、フランジング、またはコイニング）、鋳造、射出成形、鍛造、機械加工、またはそれらの組み合わせ、あるいは金属、複合材、プラスチック、または木質の各部品を製造するのに使用される他のプロセスによって構築することができる。本開示によるカラーは、上記のロック機能を果たすことができるように、第１のシャフト１１２および第２のシャフト１２４の寸法および構成に対応する任意の大きさおよび構成にすることができる。本開示によるカラーの穴は、サイズ８−３２ねじを有することができる。それに応じて、本開示によるボルトもサイズ８−３２ボルトとすることができる。本開示によるボルトは、六角形状、トルクス（登録商標）形状などの任意の断面形状を有することができる。一例では、ボルトのねじ頭は、Ｔ２０  トルクス（登録商標）ねじ頭とすることができる。
【００７５】
全米ゴルフ協会（ＵＳＧＡ）およびＲｏｙａｌ  ａｎｄ  Ａｎｃｉｅｎｔ  Ｇｏｌｆ  Ｃｌｕｂ  ｏｆ  Ｓｔ．Ａｎｄｒｅｗｓ（Ｒ＆Ａ）などのゴルフ標準化組織、および／または管理組織は、トーナメント式の試合中に、パターまたはゴルフクラブの長さを調整するのに、特定の手順を要求することがある。例えば、ゴルフ標準化組織および／または管理組織の中には、トーナメント式の試合に対して、パターの長さを調整するのに工具が使用されることを要求するものもある。したがって、人は、上記のように、工具を使用してゴルフクラブの長さを調整しなければならないことがある。しかし、非トーナメント式の試合に対して、またはゴルフ標準化組織がトーナメント式の試合に長さ調整用の工具を要求しない場合に、本開示によるカラーは迅速解放機構を含むことができ、この迅速解放機構は、一端にカムを有するアームを含むことができ、このカムにより、アームが開いた位置から閉じた位置に回転した場合にカラーが縮む。アームの一部分は、工具として機能するように、アームのカム端部から取り外すことができる。したがって、迅速解放機構は、アームの取り外し可能な部分を使用することなしにロックおよび／または解放することができない。あるいは、アームは、アームの閉じた位置でカラー２０２にロックすることができる。別の例によれば、ロック機構は、第２のシャフト１２４の第１の端部１２６に螺入して第１のシャフト１１２の端部部分１３８を圧縮するねじ付き圧縮リングを含むことができる。２つの入れ子式シャフトをロックするのに使用される他の工具不要のロック機構を使用することができる。そのような工具不要の機構は、ゴルフ標準化組織の規則を厳格に順守する必要がない場合に、非トーナメント式の試合の実施中に使用することもできる。本開示によるロック機構は、他のタイプのカラー、ピン、または締め付け装置を含むことができる。
【００７６】
特定の順番の工程が上記に説明されたが、これらの工程は、他の時間シーケンスで実行することができる。例えば、上記の２つ以上の工程は、順次か、共にか、または同時に実行することができる。あるいは、２つ以上の工程は、順番を反対にして実行することができる。さらに、上記の１つまたは複数の工程は、全く実行されなくてもよい。本明細書で説明した装置、方法、および製品はこの点について限定されない。
【００７７】
本発明が様々な態様に関連して説明されたが、本発明がさらなる修正が可能であるのは当然のことである。本願は、概して本発明の原理に従い、本発明が関係する当技術分野における公知かつ通例の手法の範囲内に入るような本開示からの逸脱を含む本発明の任意の変形形態、使用法、および改造を包含することを意図されている。
以下の項目は、出願時の特許請求の範囲に記載の要素である。
（項目１）
可変長ゴルフクラブ用の連結装置であって、
第１シャフトに連結するように構成されている第１部分と、
前記第１部分に連結されるとともに、第２シャフトに連結されるように構成されている第２部分と、を備えており、
前記第１シャフトは、ヘッドとグリップの一方に結合する第１端部と、第２端部と、を有しており、
前記第１部分は、前記第１シャフトの前記第２端部に連結するように構成されており、
前記第２シャフトは、中空部分を含む第１端部と、前記ヘッドと前記グリップの他方に結合する第２端部と、を有しており、
前記第２シャフトの前記第１端部の前記中空部分は、前記第１シャフトの前記第２端部を移動可能に受け入れるように構成されており、
前記第２部分は、前記第２シャフトの前記第１端部の前記中空部分内に挿入されるように構成されており、
前記第２部分の外径は、前記第１部分の外径よりも大きい連結装置。
（項目２）
前記第２部分の前記外径は、前記第２シャフトの前記第１端部の前記中空部分の内径以上である項目１に記載の連結装置。
（項目３）
前記第１部分は、前記第１シャフトの前記第２端部の中空部分に挿入されるように構成されており、
前記第１部分の外径は、前記第１シャフトの前記第２端部の前記中空部分の内径以下である項目１又は２に記載の連結装置。
（項目４）
前記第１部分の外表面は、少なくとも１つの溝を有する項目１〜３のいずれか一項に記載の連結装置。
（項目５）
前記第１部分は、前記第１シャフトの前記第２端部に接着剤を用いて取り付けられている項目１〜４のいずれか一項に記載の連結装置。
（項目６）
前記第２部分は、前記第２シャフトの前記第１端部の前記中空部分内に締まり嵌めによって係合されている項目１〜５のいずれか一項に記載の連結装置。
（項目７）
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている項目１〜６のいずれか一項に記載の連結装置。
（項目８）
前記第１部分と前記第２部分は概ね同軸であり、これにより、前記第２シャフトに対して前記第１シャフトが概ね同軸に維持される項目１〜７のいずれか一項に記載の連結装置。
（項目９）
前記第２部分は、前記第２部分の圧縮を提供するように構成されているスリットを有する項目１〜８のいずれか一項に記載の連結装置。
（項目１０）
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている項目１〜９のいずれか一項に記載の連結装置。
（項目１１）
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きい可変長ゴルフクラブ。
（項目１２）
前記カラーは、前記第１側部から前記カラーの前記第１側部と前記カラーの前記第２側部の間のギャップまで伸びている穴を有しており、
前記穴は、ボルトを受け入れるように構成されており、
前記ボルトは、前記ボルト部が前記穴に侵入したときに、前記カラーの前記第２側部に係合して前記カラーを前記第１状態から前記第２状態に展開するように構成されている項目１１に記載の可変長ゴルフクラブ。
（項目１３）
前記カラーは、前記第１側部から前記カラーの前記第１側部と前記カラーの前記第２側部の間のギャップまで伸びている穴を有しており、
前記穴は、第１穴部とその第１穴部の直径よりも大きい直径を有する第２穴部を含み、これにより、前記第１穴部と前記第２穴部の間の前記穴に環状出っ張り部を規定しており、
前記穴は、前記第１穴部に受け入れられるように構成されている第１ボルト部と、前記第２穴部に受け入れられるように構成されている第２ボルト部と、を有するボルトを受け入れるように構成されており、
前記第２ボルト部は、前記第１ボルト部の直径よりも大きい直径を有しており、これにより、前記第１ボルト部と前記第２ボルト部の間の前記ボルトに環状ショルダ部を規定しており、
前記第１ボルト部は、前記第１ボルト部が前記第１穴部に侵入したときに、前記カラーの前記第２側部に係合して前記カラーを前記第１状態から前記第２状態に展開するように構成されており、
前記ボルトの前記環状ショルダ部が前記穴の前記環状出っ張り部に係合し、前記ボルトが前記穴内にさらに侵入することが停止され、
前記第１シャフトと前記第２シャフトは前記カラーの前記第１状態において摩擦でロックされ、前記第１シャフトと前記第２シャフトは前記カラーの前記第２状態において相対移動可能である項目１１に記載の可変長ゴルフクラブ。
（項目１４）
前記第２部分の前記外径は、前記第２シャフトの前記第１端部の前記中空部分の内径以上である項目１１〜１３のいずれか一項に記載の可変長ゴルフクラブ。
（項目１５）
前記第１部分は、前記第１シャフトの前記第２端部の中空部分に挿入されるように構成されており、
前記第１部分の外径は、前記第１シャフトの前記第２端部の前記中空部分の内径以下である項目１１〜１４のいずれか一項に記載の可変長ゴルフクラブ。
（項目１６）
前記第１部分の外表面は、少なくとも１つの溝を有する項目１１〜１５のいずれか一項に記載の可変長ゴルフクラブ。
（項目１７）
前記第１部分は、前記第１シャフトの前記第２端部に接着剤を用いて取り付けられている項目１１〜１６のいずれか一項に記載の可変長ゴルフクラブ。
（項目１８）
前記第２部分は、前記第２シャフトの前記第１端部の前記中空部分内に締まり嵌めによって係合されている項目１１〜１７のいずれか一項に記載の可変長ゴルフクラブ。
（項目１９）
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている項目１１〜１８のいずれか一項に記載の可変長ゴルフクラブ。
（項目２０）
前記第１部分と前記第２部分は概ね同軸であり、これにより、前記第２シャフトに対して前記第１シャフトが概ね同軸に維持される項目１１〜１９のいずれか一項に記載の可変長ゴルフクラブ。
（項目２１）
前記第２部分は、前記第２部分の圧縮を提供するように構成されているスリットを有する項目１１〜２０のいずれか一項に記載の可変長ゴルフクラブ。
（項目２２）
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている項目１１〜２１のいずれか一項に記載の可変長ゴルフクラブ。
（項目２３）
可変長ゴルフクラブ用の連結装置の製造方法であって、
第１シャフトに連結するように構成されている第１部分を形成する工程と、
前記第１部分に連結されるとともに、第２シャフトに連結されるように構成されている第２部分を形成する工程と、を備えており、
前記第１シャフトは、ヘッドとグリップの一方に結合する第１端部と、第２端部と、を有しており、
前記第１部分は、前記第１シャフトの前記第２端部に連結するように構成されており、
前記第２シャフトは、中空部分を含む第１端部と、前記ヘッドと前記グリップの他方に結合する第２端部と、を有しており、
前記第２シャフトの前記第１端部の前記中空部分は、前記第１シャフトの前記第２端部を移動可能に受け入れるように構成されており、
前記第２部分は、前記第２シャフトの前記第１端部の前記中空部分内に挿入されるように構成されており、
前記第２部分の外径は、前記第１部分の外径よりも大きい製造方法。
（項目２４）
前記第２部分を形成する工程は、前記第２部分の外径が前記第２シャフトの前記第１端部の前記中空部分の内径以上となるように形成することを有する項目２３に記載の製造方法。
（項目２５）
前記第１部分を形成する工程は、前記第１シャフトの前記第２端部の中空部分に挿入されるように構成されている前記第１部分を形成することと、前記第１部分の外径が前記第１シャフトの前記第２端部の前記中空部分の内径以下となるように形成することと、を有する項目２３又は２４に記載の製造方法。
（項目２６）
前記第１部分の外表面に少なくとも１つの溝を形成する工程をさらに備える項目２３〜２５のいずれか一項に記載の製造方法。
（項目２７）
前記第２部分を形成する工程は、前記第２部分の少なくとも一部が前記第２シャフトの前記第１端部の前記中空部分に挿入されて前記第２シャフトの前記第１端部の前記中空部分内に摩擦によって係合されるときに圧縮可能に構成されるように、前記第２部分を形成することを有する項目２３〜２５のいずれか一項に記載の製造方法。
（項目２８）
前記第１部分を形成する工程と前記第２部分を形成する工程は、前記第１部分と前記第２部分は概ね同軸であり、これにより、前記第２シャフトに対して前記第１シャフトが概ね同軸に維持されるように、前記第１部分と前記第２部分を形成することを有する項目２３〜２７のいずれか一項に記載の製造方法。
（項目２９）
前記第２部分を形成する工程は、前記第２部分にスリットを形成することを有しており、
前記スリットは、前記第２部分の圧縮を提供するように構成されている項目２３〜２８のいずれか一項に記載の製造方法。
（項目３０）
前記第２部分を形成する工程は、前記第２部分の外表面に少なくとも１つの突起を形成することを有しており、
前記第２シャフトは、前記第２シャフトの前記第１端部の前記中空部分の内面に凹部を有しており、
前記突起が前記凹部に係合するように構成されている項目２３〜２９のいずれか一項に記載の製造方法。
【図１】
0005973875.tif 000006
【図２】
0005973875.tif 000007
【図３】
0005973875.tif 000008
【図４】
0005973875.tif 000009
【図５】
0005973875.tif 000010
【図６】
0005973875.tif 000011
【図７】
0005973875.tif 000012
【図８】
0005973875.tif 000013
【図９】
0005973875.tif 000014
【図１０】
0005973875.tif 000015
【図１１】
0005973875.tif 000016
【図１２】
0005973875.tif 000017
【図１３】
0005973875.tif 000018
【図１４】
0005973875.tif 000019
【図１５】
0005973875.tif 000020
【図１６】
0005973875.tif 000021
【図１７】
0005973875.tif 000022
【図１８】
0005973875.tif 000023
【図１９】
0005973875.tif 000024
【図２０】
0005973875.tif 000025
【図２１】
0005973875.tif 000026
【図２２】
0005973875.tif 000027
【図２３】
0005973875.tif 000028
【図２４】
0005973875.tif 000029
【図２５】
0005973875.tif 000030
【図２６】
0005973875.tif 000031
【図２７】
0005973875.tif 000032
【図２８】
0005973875.tif 000033
【図２９】
0005973875.tif 000034
【図３０】
0005973875.tif 000035
【図３１】
0005973875.tif 000036
【図３２】
0005973875.tif 000037
【図３３】
0005973875.tif 000038
【図３４】
0005973875.tif 000039
【図３５】
0005973875.tif 000040
【図３６】
0005973875.tif 000041
【図３７】
0005973875.tif 000042
【図３８】
0005973875.tif 000043
【図３９】
0005973875.tif 000044
【図４０】
0005973875.tif 000045
【図４１】
0005973875.tif 000046
【図４２】
0005973875.tif 000047
【図４３】
0005973875.tif 000048
【図４４】
0005973875.tif 000049
【図４５】
0005973875.tif 000050
【図４６】
0005973875.tif 000051
【図４７】
0005973875.tif 000052
【図４８】
0005973875.tif 000053
【図４９】
0005973875.tif 000054